(57)【特許請求の範囲】
【請求項１】
セル型製氷機本体のフレームに固定されているとともに、一面が開口している製氷室と、
この製氷室の内部に形成されている複数の製氷区画と、
製氷室に水を噴射する水噴射面を具備するとともに、前記フレームに一端部が回動軸を中心として傾復動可能に取り付けられ、水噴射面が製氷室の開口面を覆う閉位置と、水噴射面が製氷室の開口面から離れる開位置との間を傾復動する水皿とを備えたセル型製氷機において、
前記水皿の回動軸が、フレームに回動および移動可能に取り付けられているとともに、水噴射面が製氷室の開口面に近接する方向に回動軸を付勢する付勢手段を有していることを特徴とするセル型製氷機。
【発明の詳細な説明】
【０００１】
【発明の属する技術分野】
本発明は、逆セル型製氷機や縦セル型製氷機などのセル型製氷機に関する。
【０００２】
【従来の技術】
従来のセル型製氷機について、図４を用いて説明する。図４は従来のセル型製氷機の正面図である。
セル型製氷機本体のフレーム０１には、下面が開口している製氷室０２が固定されているとともに、フレーム０１のフランジ０３には、水皿０４の回動軸０６が、回動可能に取り付けられている。この水皿０４には、製氷室０２に水を噴射する水噴射面０７が形成されている。そして、水皿０４は、この水噴射面０７が製氷室０２の開口面を覆う閉位置と、水噴射面０７が製氷室０２の開口面から離れる開位置との間を傾復動することができる。この様に構成されているセル型製氷機は、水皿０４が閉位置にある際に、水噴射面０７から水を噴射して、製氷室０２内に水を供給し、冷媒配管０８で製氷室０２を冷却して製氷している。そして、この製氷室０２の内部は複数の区画に仕切られ、各区画でブロック状の氷を製氷している。
【０００３】
【発明が解決しようとする課題】
ところで、水皿０４の水噴射面０７と製氷室０２との隙間ｈが大きいと、製氷室０２の各区画で製氷されたブロック状の氷が互いに堅固に連結し、貯氷庫に落ちてもバラバラにならないで、板チョコ状の氷となることがある。そこで、水皿０４の水噴射面０７と製氷室０２との隙間ｈを小さくするために、製氷室０２をスペーサー０９で調整しながらボルト締めしている。しかしながら、スペーサー０９で調整しても、隙間ｈが大きい場合がある。この様な場合には、ワッシャーを付け加えて微調整をしている。したがって、製氷室０２の取付作業にかなりの時間を要している。
【０００４】
本発明は、以上のような課題を解決するためのもので、水皿と製氷室との隙間を簡単に小さくすることができるセル型製氷機を提供することを目的としている。
【０００５】
【課題を解決するための手段】
本発明にかかるセル型製氷機は、セル型製氷機本体のフレーム（６）に固定されているとともに一面が開口している製氷室（１）と、この製氷室の内部に形成されている複数の製氷区画（３）と、製氷室に水を噴射する水噴射面（１４）を具備するとともに、前記フレームに一端部が回動軸（１３）を中心として傾復動可能に取り付けられ、水噴射面が製氷室の開口面を覆う閉位置と、水噴射面が製氷室の開口面から離れる開位置との間を傾復動する水皿（１１）とを備えている。そして、前記水皿の回動軸が、フレームに回動および移動可能に取り付けられているとともに、水噴射面が製氷室の開口面に近接する方向に回動軸を付勢する付勢手段（３４）を有している。
【０００６】
【発明の実施の形態】
まず初めに、本発明の実施の形態のセル型製氷機の説明を図１ないし図３を用いて説明する。図１は製氷時における逆セル型製氷機の正面図である。図２は離氷時における逆セル型製氷機の正面図である。図３は水皿の回動軸付近の要部拡大図で、（ａ）が側面から見た断面図、（ｂ）が正面図である。なお、図１および図２において、軸受リングは図示が省略されている。
【０００７】
セル型製氷機である逆セル型製氷機の製氷室１は、熱伝導性の良い金属たとえば銅、または銅合金、アルミ、またはアルミ合金などで構成され、下面が開口するとともに、内部が仕切り壁２で仕切られて、多数の製氷区画３が形成されている。この製氷室１の天壁の上面には、冷却パイプ４が蛇行して配設され固定されている。この断面略円形の冷却パイプ４には冷媒が流れており、製氷室１を冷却することができる。この製氷室１および冷却パイプ４でエバが構成され、逆セル型製氷機本体のフレーム６にスペーサー７で位置決めされながら、ボルト８により取り付けられて固定されている。また、水皿１１が、フレーム６のブラケット１２に回動軸１３を軸として傾復動可能に取り付けられており、水皿１１の上面である水噴射面１４から水を噴射して製氷室１の製氷区画３に水を供給する。この水皿１１の回動軸１３の取付構造の詳細は後述する。そして、ブラケット１２の右端部には散水器１５が取り付けられている。さらに、フレーム６に、水皿の傾復動駆動手段であるカムレバー１６が回動可能に取り付けられており、図示しないモーターなどで駆動される。そして、カムレバー１６の端部と、水皿１１の右側の先端部との間に、付勢手段であるコイルバネ１７が取り付けられている。また、カムレバー１６には、水皿１１と接触して摺動するカム面１８が形成されている。
【０００８】
製氷時には、図１に図示するように、カムレバー１６の先端は上方にあり、水皿１１は略水平の閉位置となっており、水皿１１の水噴射面１４が製氷室１の開口面を覆っている。この閉位置においては、カム面１８は水皿１１と接触しておらず、隙間ｄが形成されている。また、水皿１１の右側の先端部はコイルバネ１７の付勢力で、上方に引っ張り上げられ、水皿１１の水噴射面１４は製氷室１の外周縁部に当接している。そして、図１の製氷状態から、カムレバー１６が反時計方向に回動して、先端が下方になると、図２に図示するように、水皿１１は時計方向に傾動して開位置すなわち離氷状態となり、水皿１１の水噴射面１４が製氷室１の開口面から離れる。なお、このカムレバー１６の反時計方向の回動の途中において、カム面１８が水皿１１と接触し、水皿１１を下方に押し下げている。逆に、図２に図示する離氷状態から、カムレバー１６が時計方向に回動すると、水皿１１は開位置から反時計方向に回動して図１に図示する閉位置に復動する。
【０００９】
さらに、水皿１１の下側には、この水皿１１と一体に移動する水タンク２１が設けられており、この水タンク２１に溜められた水は、ポンプ２２が駆動すると、水皿１１に供給され、水皿１１の水噴射面１４から製氷室１の製氷区画３に噴出する。水タンク２１内には、水温センサー２６や水位センサー２７が設けられている。
【００１０】
この様に構成されている逆セル型製氷機において、製氷する際には、図１に図示する水皿１１が水平な状態において、水タンク２１のポンプ２２を駆動して、水タンク２１の水を水皿１１に供給し、水噴射面１４から製氷室１の製氷区画３に噴出している。この製氷室１は、冷却パイプ４で冷却されており、製氷区画３内で製氷される。製氷が終了すると、散水器１５から水噴射面１４に散水するとともに、カムレバー１６を反時計方向に回動し、前述のように水皿１１を時計方向に傾動し図２の離氷状態とし、製氷室１の製氷区画３の氷を外に放出し、下方にある図示しない貯氷庫に落下させる。そして、氷の放出が終了すると、カムレバー１６を時計方向に回動して水皿１１を反時計方向に回動して、元の水平な図１の製氷状態に復帰させている。
【００１１】
次に、水皿１１の回動軸１３の取付構造について説明する。水皿１１の左側の端部には、手前側と奥側とに各々回動軸１３が設けられており、この回動軸１３が、フレーム６のブラケット１２に形成されている上下方向に細長い長孔３１に遊嵌している。したがって、回動軸１３はフレーム６のブラケット１２に回動および上下移動が可能に取り付けられている。そして、この回動軸１３に、軸受リング３３を介してコイルバネ３４の下端が取り付けられ、この付勢手段としてのコイルバネ３４の上端はフレーム６に固定されている。このコイルバネ３４が、回動軸１３を上方（すなわち水噴射面１４が製氷室１に近接する方向）に付勢している。その結果、水皿１１が閉位置にある際には、水皿１１はコイルバネ１７，３４により、上方に付勢され、水皿１１の水噴射面１４が製氷室１の外周縁部に当接している。
【００１２】
前述のように、水噴射面１４が製氷室１の開口面に近接する方向に、コイルバネ３４が回動軸１３を付勢しており、水噴射面１４と製氷室１との隙間を略０とすることができる。その結果、製氷室１の各製氷区画３で製氷された氷が、堅固に連結して、板チョコ状となることを防止することができる。
【００１３】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態において、セル型製氷機は逆セル型製氷機であるが、他の形式のセル型製氷機、たとえば、製氷室１が略垂直に配置されて、製氷区画３の開口面が略垂直な縦セル型製氷機であることも可能である。
【００１４】
（２）回動軸１３を付勢する構造は適宜変更可能である。たとえば、実施の形態においては、コイルバネ３４は回動軸１３に軸受リング３３を介して取り付けられているが、直接回動軸１３に取り付けたり、水皿１１に取り付けたりすることも可能である。この様に、付勢手段は回動軸１３を直接または間接的に付勢することが可能である。また、回動軸１３をコイルバネ３４以外の付勢手段で付勢することも可能である。たとえば、糸ゴムなどの弾性体で構成することも可能である。
【００１５】
【発明の効果】
本発明によれば、水皿の回動軸が、フレームに回動および移動可能に取り付けられているとともに、水噴射面が製氷室の開口面に近接する方向に付勢手段が回動軸を付勢しているので、水皿の水噴射面と、製氷室の開口面との間に隙間が発生することを極力防止することができる。したがって、製氷室の製氷区画で製氷された氷が互いに堅固に連結することが減少する。その結果、極力バラバラの氷を製氷することができ、氷が板チョコ状となることを防止することができる。
【図面の簡単な説明】
【図１】図１は製氷時における逆セル型製氷機の正面図である。
【図２】図２は離氷時における逆セル型製氷機の正面図である。
【図３】図３は水皿の回動軸付近の要部拡大図で、（ａ）が側面から見た断面図、（ｂ）が正面図である。
【図４】図４は従来のセル型製氷機の正面図である。
【符号の説明】
１  製氷室
３  製氷区画
６  フレーム
１１  水皿
１３  回動軸
１４  水噴射面
３４  コイルバネ（付勢手段）
【図１】
0003710929.tif 000002
【図２】
0003710929.tif 000003
【図３】
0003710929.tif 000004
【図４】
0003710929.tif 000005